(57)【要約】【課題】複数の光学部材の取付位置の精度を向上させる。【解決手段】光学部材組立体１は、ハウジング２０に設けられた壁部２３と、壁部２３に取り付けられた第一光学部材３０と、壁部２３に取り付けられた第二光学部材５０と、を備える。保持穴２７が壁部２３を貫通し、第一光学部材３０が壁部２３の一方の面側から保持穴２７に嵌め込まれて壁部２３に固定され、第二光学部材５０が壁部２３の一方の面側から第一光学部材３０及び保持穴２７に対向し、第二光学部材５０が壁部２３の一方の面側から一方の面に締め付けられている。【選択図】図１
2014123005.tif 000002
【特許請求の範囲】
【請求項１】
支持部品に設けられた壁部と、
前記壁部に取り付けられた第一光学部材と、
前記壁部に取り付けられた第二光学部材と、を備え、
保持穴が前記壁部を貫通し、
前記第一光学部材が前記壁部の一方の面側から前記保持穴に嵌め込まれて前記壁部に固定され、
前記第二光学部材が前記壁部の前記一方の面側から前記第一光学部材及び前記保持穴に対向し、
前記第二光学部材が前記壁部の前記一方の面側から前記一方の面に締め付けられている、
ことを特徴とする光学部材組立体。
【請求項２】
前記保持穴の縁に形成された爪を更に備え、
前記第一光学部材の周縁部が前記壁部の一方の面側から前記爪に当接されている、
ことを特徴とする請求項１に記載の光学部材組立体。
【請求項３】
前記保持穴の周辺において前記壁部の前記一方の面に締め付けられた押さえを更に備え、
前記押さえの一部が前記保持穴にはみ出て、そのはみ出た部分と前記爪との間に前記第一光学部材の周縁部が挟持されている、
ことを特徴とする請求項２に記載の光学部材組立体。
【請求項４】
前記壁部の前記一方の面に第一凹部が形成され、前記保持穴が前記第一凹部の底から前記壁部の他方の面に貫通し、
前記押さえが前記第一凹部に収容されて前記第一凹部の底に締め付けられている、
ことを特徴とする請求項３に記載の光学部材組立体。
【請求項５】
前記壁部の前記一方の面、前記保持穴及び前記爪が一つの金型によって成型されているものである、
請求項２から４の何れか一項に記載の光学部材組立体。
【請求項６】
前記保持穴の周辺において前記壁部の前記一方の面に凸設された位置決め凸部を更に備え、
前記第二光学部材の前記壁部の前記一方の面に相対する面に位置決め穴が形成され、
前記位置決め凸部が前記位置決め穴に差し込まれることによって前記第二光学部材が位置決めされている、
ことを特徴とする請求項１から５の何れか一項に記載の光学部材組立体。
【請求項７】
前記壁部の前記一方の面、前記保持穴及び前記位置決め凸部が一つの金型によって成型されているものである、
請求項６に記載の光学部材組立体。
【請求項８】
前記第二光学部材が前記保持穴を跨ぐようにして前記第一光学部材及び前記保持穴に対向し、
前記第一光学部材及び前記保持穴が、前記保持穴の貫通方向に見て、円のうち前記第二光学部材の跨ぐ側の領域を切り取った形状に形成されている、
ことを特徴とする請求項１から７の何れか一項に記載の光学部材組立体。
【請求項９】
前記第一光学部材及び前記保持穴は円弧部同士が当接されることによって前記第一光学部材が位置決めされている、
ことを特徴とする請求項８に記載の光学部材組立体。
【請求項１０】
前記壁部の前記一方の面に第二凹部が形成され、前記保持穴が前記第二凹部の底から前記壁部の他方の面に貫通し、
前記第二光学部材が前記第二凹部に収容されて前記第二凹部の底に締め付けられている、
ことを特徴とする請求項１から９の何れか一項に記載の光学部材組立体。
【請求項１１】
前記第一光学部材がレンズであり、
前記第二光学部材が空間光変調装置である、
ことを特徴とする請求項１から１０の何れか一項に記載の光学部材組立体。
【請求項１２】
請求項１１に記載の光学部材組立体と、
前記第二光学部材に光を照射する照射装置と、
前記第一光学部材に対向するレンズユニットと、を備える、
ことを特徴とする投影装置。
【請求項１３】
支持部品に設けられた壁部を貫通した保持穴に前記壁部の一方の面側から第一光学部材を嵌め込んで、その第一光学部材を前記壁部に固定し、
前記第二光学部材を前記壁部の前記一方の面側から前記第一光学部材及び前記保持穴に対向させて、前記第二光学部材を前記壁部の前記一方の面側から前記一方の面に締め付ける、
ことを特徴とする光学部材組立体の製造方法。
【発明の詳細な説明】
【技術分野】
【０００１】
本発明は、光学部材組立体及び投影装置並びに光学部材組立体の製造方法に関する。
【背景技術】
【０００２】
特許文献１には、光学部材たるクロスダイクロイックプリズム（４４４）、液晶パネル（４４１Ｒ，４４１Ｇ，４４１Ｂ）及び組レンズ（４６１等）が支持部品（７１）に取り付けられてなる組立体が開示されている（図４及び図５参照）。これらの光学部材（４４４，４４１Ｒ，４４１Ｇ，４４１Ｂ，４６１）は支持部品（７１）に直接組み付けられているものではなく、何らかの部材を介して支持部品（７１）に組み付けられている。
【０００３】
組レンズ（４６１等）は鏡筒（４６２）を介して支持部品（７１）に組み付けられている。つまり、組レンズ（４６１等）が鏡筒（４６２）に組み付けられることによってそれらがユニット化され、その鏡筒（４６２）が支持部品（７１）に組み付けられている（図４参照）。
【０００４】
ダイクロイックプリズム（４４４）はブラケット（７２）を介して支持部品（７１）に組み付けられている。つまり、ダイクロイックプリズム（４４４）はブラケット（７２）に貼着され、そのブラケット（７２）がネジ等によって支持部品（７１）に組み付けられている。
【０００５】
液晶パネル（４４１Ｒ，４４１Ｇ，４４１Ｂ）がどのようにして支持部品（７１）に組み付けられているかは開示されていない。但し、液晶パネル（４４１Ｒ，４４１Ｇ，４４１Ｂ）が何らかの部材（例えば、矩形枠状のブラケット（図４参照）或いは光学部品用外装筐体（４５：図２参照））を介して支持部品（７１）に組み付けられていると考えられる。
【０００６】
光学部材（４４４，４４１Ｒ，４４１Ｇ，４４１Ｂ，４６１）及び支持部品（７１）等からなる組立体（図４参照）は投影装置に利用されている（図１〜図３参照）。
【先行技術文献】
【特許文献】
【０００７】
【特許文献１】特開２００９−８６１９８号公報
【発明の概要】
【発明が解決しようとする課題】
【０００８】
ところで、近年、スクリーンに投影される映像の大きさを小さくせずに投影装置からスクリーンまでの投射距離を短くするために、投影装置の投影レンズユニットを広角化・短焦点距離化する傾向にある。
特許文献１に記載の投影レンズユニット（４６）が広角レンズであれば、投影レンズユニット（４６）の組レンズ（４６１等）、クロスダイクロイックプリズム（４４４）、液晶パネル（４４１Ｒ，４４１Ｇ，４４１Ｂ）の取付位置の精度を高める必要がある。つまり、これらの光学部材（４４４，４４１Ｒ，４４１Ｇ，４４１Ｂ，４６１）の取付位置が設計位置から僅かにずれた場合でも、投影映像が大きくずれたり、投影画像の画質が低下したりする。
【０００９】
そこで、本発明が解決しようとする課題は、複数の光学部材の取付位置の精度を向上させることである。
【課題を解決するための手段】
【００１０】
以上の課題を解決するために、本発明に係る光学部材組立体は、支持部品に設けられた壁部と、前記壁部に取り付けられた第一光学部材と、前記壁部に取り付けられた第二光学部材と、を備え、保持穴が前記壁部を貫通し、前記第一光学部材が前記壁部の一方の面側から前記保持穴に嵌め込まれて前記壁部に固定され、前記第二光学部材が前記壁部の前記一方の面側から前記第一光学部材及び前記保持穴に対向し、前記第二光学部材が前記壁部の前記一方の面側から前記一方の面に締め付けられていることを特徴とする。
【００１１】
本発明に係る光学部材組立体の製造方法は、支持部品に設けられた壁部を貫通した保持穴に前記壁部の一方の面側から第一光学部材を嵌め込んで、その第一光学部材を前記壁部に固定し、前記第二光学部材を前記壁部の前記一方の面側から前記第一光学部材及び前記保持穴に対向させて、前記第二光学部材を前記壁部の前記一方の面側から前記一方の面に締め付けることを特徴とする。
【発明の効果】
【００１２】
本発明によれば、第一光学部材及び第二光学部材の取付位置の精度を向上させることができる。
【図面の簡単な説明】
【００１３】
【図１】本発明の実施形態に係る光学部材組立体を分解した状態で示した正面側斜視図である。
【図２】同実施形態に係る光学部材組立体を分解した状態で示した背面側斜視図である。
【図３】同実施形態に係る支持部品の一部を示した背面側斜視図である。
【図４】同実施形態に係る支持部品の一部を示した背面図である。
【図５】同実施形態に係る支持部品、第一光学部材及び第二光学部材を示した背面側斜視図である。
【発明を実施するための形態】
【００１４】
以下に、本発明を実施するための形態について、図面を用いて説明する。但し、以下に述べる実施形態には、本発明を実施するために技術的に好ましい種々の限定が付されている。そのため、本発明の範囲を以下の実施形態及び図示例に限定するものではない。
【００１５】
図１は光学部材組立体（光学部材取付構造体）１の正面側の分解斜視図であり、図２は光学部材組立体１の背面側の分解斜視図である。
【００１６】
光学部材組立体１は、レンズユニット１０、ハウジング２０、第一光学部材３０、押さえ４１，４２、第二光学部材５０、配線基板６０及びヒートシンク７０を備える。ハウジング２０が光学部材支持部品であり、このハウジング２０にレンズユニット１０、第一光学部材３０、押さえ４１，４２、第二光学部材５０、配線基板６０及びヒートシンク７０が組み付けられている。
【００１７】
レンズユニット１０は投影レンズユニットであり、特に焦点距離が短い広角の投影レンズユニットである。レンズユニット１０は複数枚のレンズ１１（図１では、前玉のレンズ１１を図示し、図２では、後玉のレンズ１１を図示する）、鏡筒１２及びフランジ１３等を有する。複数枚のレンズ１１が鏡筒１２内に保持され、これらレンズ１１が鏡筒１２の中心軸に沿って配列されている。鏡筒１２の前端と後端の間の中央部にはフランジ１３が設けられており、このフランジ１３が鏡筒１２の外周面から鏡筒１２の径方向外方へ延出し、フランジ１３と鏡筒１２が一体成型されている。
【００１８】
ハウジング２０が箱形に形作られ、ハウジング２０によって囲われた内部空間がハウジング２０の内側に形成される。ハウジング２０の内側には隔壁２１が設けられており、その隔壁２１によってハウジング２０の内部空間が前後２つの室に仕切られている。隔壁２１に透孔２１ａが形成されており、透孔２１ａによって前後２つの室が通じている。ハウジング２０の前面の外縁部にはフランジ２２が設けられ、そのフランジ２２がハウジング２０の前面の外縁から径方向外方に延出する。ハウジング２０の前面には開口２０ａが形成されている。
【００１９】
レンズユニット１０がハウジング２０に装着されている。具体的には、鏡筒１２が開口２０ａに挿入され、フランジ１３がハウジング２０の前面及びフランジ２２に突き当てられ、鏡筒１２の後端が透孔２１ａの周囲において隔壁２１に突き当てられている。フランジ１３がネジ、ボルト・ナット結合、リベット又、鋲又は爪等の締結部によってハウジング２０の前面及びフランジ２２に締結されている。
【００２０】
図３はハウジング２０の背面側斜視図であり、図４はハウジング２０の背面図であり、図５はハウジング２０、第一光学部材３０及び第二光学部材５０の背面側斜視図である。図３では、第一光学部材３０、押さえ４１，４２、第二光学部材５０、配線基板６０及びヒートシンク７０がハウジング２０から取り外された状態を示す。図４では、第一光学部材３０がハウジング２０に装着され、押さえ４１，４２、第二光学部材５０、配線基板６０及びヒートシンク７０がハウジング２０から取り外された状態を示す。図５では、第一光学部材３０及び第二光学部材５０がハウジング２０に装着され、押さえ４１，４２、配線基板６０及びヒートシンク７０がハウジング２０から取り外された状態を示す。
【００２１】
図３、図４及び図５に示すように、ハウジング２０はその背面に後壁部２３を有し、その後壁部２３によってハウジング２０の内側と外側が仕切られている。ハウジング２０の後壁部２３の外面（後面）には、第一凹部２４、第二凹部２５及び第三凹部２６が形成されている。第一凹部２４、第二凹部２５及び第三凹部２６が矩形状に形作られており、第一凹部２４の長辺方向が縦方向であり、第二凹部２５及び第三凹部２６の長辺方向が横方向である。第二凹部２５と第三凹部２６は上下に並設され、第二凹部２５が第三凹部２６の下にある。第一凹部２４が第二凹部２５と部分的に重なっており、第一凹部２４の横幅が第二凹部２５の横幅よりも短く、第一凹部２４と第二凹部２５が十字に交差する。第一凹部２４が第二凹部２５の中央部を上下に縦断し、第二凹部２５が第一凹部２４によって左右に分割されている。第一凹部２４が第三凹部２６と部分的に重なっており、第一凹部２４と第三凹部２６がＴ字に交差し、第三凹部２６が第一凹部２４によって左右に分割されている。第一凹部２４が第二凹部２５及び第三凹部２６よりも深く凹んでおり、第一凹部２４の奥（底）と第二凹部２５の奥（底）との間に段差があり、第一凹部２４の奥（底）と第三凹部２６の奥（底）との間に段差がある。
【００２２】
ハウジング２０の後壁部２３に保持穴２７が形成され、その保持穴２７が後壁部２３の外面から内面まで貫通する。具体的には、保持穴２７が第一凹部２４、第二凹部２５、及び第三凹部２６の奥（底）に形成されて、第一凹部２４、第二凹部２５、及び第三凹部２６の奥（底）から後壁部２３の内面まで貫通する。この保持穴２７は透孔２１ａの正対する位置に形成されている。
【００２３】
保持穴２７は、その貫通方向（前後方向）に見て、円の左右の両側の領域（円弧と弦で囲まれた領域）を切り取った形状に形成されている。そのため、保持穴２７の左右の縁２７ｃ，２７ｄが直線状に設けられ、保持穴２７の上下の縁２７ａ，２７ｂは円弧状に設けられている。保持穴２７の左右の縁２７ｃ，２７ｄは第一凹部２４の左右の内面に沿っている。
【００２４】
保持穴２７の上下の縁２７ａ，２７ｂには爪２８，２９がそれぞれ形成されている。爪２８が保持穴２７の上の縁２７ａから保持穴２７の中心へ向けて突出し、爪２９が保持穴２７の下の縁２７ｂから保持穴２７の中心へ向けて突出する。爪２８は保持穴２７の上の縁２７ａに沿って円弧帯状に延びており、爪２９が保持穴２７の下の縁２７ｂに沿って円弧帯状に延びている。爪２８，２９は後壁部２３の内面（前面）寄りに配置され、第一凹部２４の奥（底）と爪２８，２９との間には段差がある。
【００２５】
ハウジング２０の後壁部２３には第一光学部材３０が取り付けられている。この第一光学部材３０はレンズであり、特にフィールドレンズである。第一光学部材３０がレンズユニット１０の後玉レンズ１１に対向し、この第一光学部材３０とレンズユニット１０の複数枚のレンズ１１とが組み合わせられ、組レンズ（複合レンズ）が構成される。この組レンズは例えば投影光学系である。
【００２６】
第一光学部材３０は、中心線（光軸）回りの回転対称体の左右の側部を切り取ったものである。つまり、第一光学部材３０は、中心線（光軸）方向に見て、円の左右の両側の領域（円弧と弦で囲まれた領域）を切り取った形状に形作られている。ここで、第一光学部材３０は、両方の屈折面が精密に加工されたレンズ（例えばガラスモールドレンズ、ガラス研磨レンズ）の左右の側部を切削又は研削することによって得られたものである。従って、第一光学部材３０の円弧状の縁３０ａ，３０ｂが弦状の縁３０ｃ，３０ｄよりも高精度に加工されたものであり、縁３０ａ，３０ｂの精度・真度・真円度が非常に高く、縁３０ｃ，３０ｄの精度・真度・真直度・平面度が縁３０ａ，３０ｂの精度・真度・真円度ほど高くはない。
【００２７】
第一光学部材３０が後壁部２３の後ろ側から保持穴２７に嵌め込まれている。第一光学部材３０の縁３０ｃ，３０ｄが保持穴２７の縁２７ｃ，２７ｄにそれぞれ当たって接触している。更に、第一光学部材３０の上の縁３０ａが保持穴２７の上の縁２７ａに当たって接触し、第一光学部材３０の下の縁３０ｂが保持穴２７の下の縁２７ｂに当たって接触している。上の縁３０ａ，２７ａの突き合わせと下の縁３０ｂ，２７ｂの突き合わせとによって第一光学部材３０が位置決めされている。第一光学部材３０の縁３０ａ，３０ｂが高精度に加工されたものであるから、ハウジング２０に対する第一光学部材３０の取付精度が非常に高く、第一光学部材３０の光軸が調芯されたものとなる。
【００２８】
第一光学部材３０の上側の周縁部が爪２８の後ろ側から爪２８に当たり、その爪２８が第一光学部材３０の上側の周縁部を受けている（図４及び図５参照）。第一光学部材３０の下側の周縁部が爪２９の後ろ側から爪２９に当たり、その爪２９が第一光学部材３０の下側の周縁部を受けている。これにより、第一光学部材３０が保持穴２７からハウジング２０の前側へ外れることが防止されている。
【００２９】
ハウジング２０の後壁部２３の外面（後面）には、押さえ台座部２４ａ，２４ｂが形成されている。具体的には、押さえ台座部２４ａ，２４ｂが第一凹部２４の奥（底）であって保持穴２７の上と下にそれぞれ形成されている。押さえ４１，４２が押さえ台座部２４ａ，２４ｂにそれぞれ装着され、押さえ４１，４２がネジ等の締結部材によって押さえ台座部２４ａ，２４ｂにそれぞれ固定されている。なお、その締結部材がネジである場合、図４に示す符号２４ｄが押さえ台座部２４ａ，２４ｂに形成されたネジ穴であり、ネジの軸部が押さえ４１，４２にそれぞれ通されてネジ穴２４ｄにそれぞれ螺合する。
【００３０】
押さえ４１の一部が押さえ台座部２４ａから保持穴２７へはみ出ており、そのはみ出し部４１ａ（図２参照）が第一光学部材３０の後ろ側から第一光学部材３０の上側の周縁部に当たる。ネジによって押さえ４１が押さえ台座部２４ａに締め付けられることによって、第一光学部材３０の上側の周縁部がはみ出し部４１ａと爪２８の間に挟持されている。第一光学部材３０の下側の周縁部も同様にして押さえ４２のはみ出し部４２ａ（図２参照）と爪２９の間に挟持されている。第一光学部材３０が上下２箇所で固定され、はみ出し部４１ａ，４２ａ及び爪２８，２９が横方向に長く形成されているから、第一光学部材３０の取付誤差（第一光学部材３０の光軸が理想からチルトすること）を防止することができる。
【００３１】
ハウジング２０の後壁部２３の外面（後面）には、光学部材台座部２５ａ，２５ｂが形成されている。具体的には、光学部材台座部２５ａ，２５ｂが第二凹部２５の奥（底）であって保持穴２７の左と右にそれぞれ形成されている。
【００３２】
光学部材台座部２５ａには、第二光学部材５０の前後方向（光軸方向）の位置を決めるための位置決め凸部２５ｃが形成されている。光学部材台座部２５ｂには、第二光学部材５０の前後方向の位置を決めるための位置決め凸部２５ｄ，２５ｅが形成されている。これら位置決め凸部２５ｃ，２５ｄ，２５ｅは一直線状に並んでいない。
【００３３】
光学部材台座部２５ａには、第二光学部材５０の上下左右方向（光軸に直交する方向）の位置を決めるための位置決め凸部（位置決めピン）２５ｆが形成されている。光学部材台座部２５ｂには、第二光学部材５０の上下左右方向の位置を決めるための位置決め凸部（位置決めピン）２５ｇが形成されている。
【００３４】
第二光学部材５０が後壁部２３の後面（外面）側から第一光学部材３０及び保持穴２７に対向した状態で第二凹部２５に収容されている（図５参照）。第二光学部材５０が保持穴２７を左右に跨ぐように設けられ、その第二光学部材５０の左右の部位が光学部材台座部２５ａ，２５ｂにそれぞれ装着されている。第二光学部材５０の前面であって左右の部位には、位置決め穴５０ｆ，５０ｇが形成されている（図１参照）。位置決め凸部２５ｆ，２５ｇが位置決め穴５０ｆ，５０ｇに嵌め込まれることによって、前後方向に延びた軸を中心とした周方向の第二光学部材５０の荷重が位置決め凸部２５ｆ，２５ｇに受けられる。これにより、第二光学部材５０の周方向の位置が決まる。
【００３５】
また、位置決め凸部２５ｆ，２５ｇが位置決め穴５０ｆ，５０ｇに嵌め込まれることによって、上下左右方向の第二光学部材５０の荷重が位置決め凸部２５ｆ，２５ｇに受けられる。これにより、第二光学部材５０の上下左右方向の位置が決まる。
【００３６】
第二光学部材５０の前面であって左右の部位が位置決め凸部２５ｃ，２５ｄ，２５ｅに当たって接触している。これにより第二光学部材５０の前後方向の位置が決まる。更に、第二光学部材５０の前面が３つの位置決め凸部２５ｃ，２５ｄ，２５ｅに接触するから、第一光学部材３０の光軸に対する第二光学部材５０の傾きが決まる。具体的には、第二光学部材５０が第一光学部材３０の光軸に対して垂直になる。
【００３７】
第二光学部材５０は空間光変調装置（表示素子）であり、より具体的にはデジタル・マイクロミラー・デバイスである。つまり、第二光学部材５０の前面の中央部５０ａ（図１参照）には、画素である複数の可動マイクロミラーが二次元アレイ状に配列されている。なお、第二光学部材５０が反射型液晶表示器であってもよい。その場合は、画素である液晶シャッター素子が第二光学部材５０の前面の中央部５０ａに二次元アレイ状に配列され、それら液晶シャッター素子の裏側に反射ミラーが設けられている。
【００３８】
第二光学部材５０がソケット６１に装着されている。つまり、第二光学部材５０の後面には複数の端子（ピン）５１が設けられ、これら端子５１がソケット６１の端子に嵌め込まれている。
【００３９】
ソケット６１が配線基板６０の前面に搭載されている。配線基板６０の後面にはヒートシンク７０が取り付けられている。配線基板６０がネジ等の締結部材によってハウジング２０の後壁部２３の外面（後面）に固定され、第二光学部材５０及び配線基板６０が締結部材によってハウジング２０に共締めされている。具体的には、図１に示す符号６３が締結部材としての雄ねじであり、図５に示す符号２３ａが後壁部２３の外面に形成されたネジ穴であり、雄ねじ６３がネジ穴２３ａに螺合する。ネジ穴２３ａの周囲には台座部２３ｂが凸状に設けられ、配線基板６０が台座部２３ｂに当たって接触している。
【００４０】
ハウジング２０、隔壁２１及びフランジ２２は金型鋳造法（例えば、ダイキャスト法）によって一体成型された鋳物である。具体的には、ハウジング２０、隔壁２１及びフランジ２２はアルミダイキャストである。ハウジング２０、隔壁２１及びフランジ２２を鋳造する際には、ハウジング２０の後壁部２３の外面（後面）、第一凹部２４（押さえ台座部２４ａ，２４ｂ）、第二凹部２５（光学部材台座部２５ａ，２５ｂ）、位置決め凸部２５ｃ，２５ｄ，２５ｅ，２５ｆ，２５ｇ、第三凹部２６、保持穴２７（その縁２７ａ〜２７ｄ）及び爪２８，２９はこれらに共通の一つの金型の内面形状によって成型される。そのため、後壁部２３の外面（後面）、第一凹部２４（押さえ台座部２４ａ，２４ｂ）、第二凹部２５（光学部材台座部２５ａ，２５ｂ）、位置決め凸部２５ｃ，２５ｄ，２５ｅ，２５ｆ，２５ｇ、第三凹部２６、保持穴２７（その縁２７ａ〜２７ｄ）及び爪２８，２９の位置や形状の精度が高く、これらの相互の位置は共通の金型により決定されているので、位置的な精度も高い。
【００４１】
なお、ハウジング２０、隔壁２１及びフランジ２２が樹脂成型品であり、ハウジング２０、隔壁２１及びフランジ２２が射出成型によって成型されたものでもよい。その場合も、ハウジング２０の後壁部２３の外面（後面）、第一凹部２４（押さえ台座部２４ａ，２４ｂ）、第二凹部２５（光学部材台座部２５ａ，２５ｂ）、位置決め凸部２５ｃ，２５ｄ，２５ｅ，２５ｆ，２５ｇ、第三凹部２６、保持穴２７（その縁２７ａ〜２７ｄ）及び爪２８，２９は一つの金型の内面形状によって成型される。
【００４２】
この光学部材組立体１は投影装置に利用され、光学部材組立体１と時分割光発生装置（照射装置）９９が組み合わせられることによって投影装置が構成される。時分割光発生装置９９は、異なる色の光を時間分割で出射するものである。具体的には、時分割光発生装置９９は、赤色光、緑色光及び青色光を所定の順序で繰り返し出射するものである。時分割光発生装置９９によって出射された各色の光が光学部材組立体１のハウジング２０内に取り込まれ、各色光が第一光学部材３０を介して第二光学部材５０に照射される。各色の画像が時分割光発生装置９９の各色の出射タイミングに同期して光学部材組立体１の第二光学部材５０によって生成され、各色の画像が光学部材組立体１の第一光学部材３０及びレンズユニット１０によって前方のスクリーンへ投影される。
【００４３】
第一光学部材３０と第二光学部材５０が精度良く同一のハウジング２０に組み付けられているので、投影画像の画質の低下や投影光の照度低下を抑制することができる。
【００４４】
続いて、光学部材組立体１の製造方法について説明する。
まず、ハウジング２０を成型する。また、レンズユニット１０、第一光学部材３０、押さえ４１，４２、第二光学部材５０、配線基板６０及びヒートシンク７０等を準備する。
【００４５】
次に、第一光学部材３０の左右の縁３０ｃ，３０ｄを保持穴２７の左右の縁２７ｃ，２７ｄにそれぞれ合わせ、第一光学部材３０の上下の縁３０ａ，３０ｂを保持穴２７の上下の縁２７ａ，２７ｂにそれぞれ合わせ、第一光学部材３０をハウジング２０の後ろ側から保持穴２７に嵌め込む。この際、第一光学部材３０の上側の周縁部を爪２８の後ろ側から爪２８に当接し、第一光学部材３０の下側の周縁部を爪２９の後ろ側から爪２９に当接し、第一光学部材３０の上下の縁３０ａ，３０ｂを保持穴２７の上下の縁２７ａ，２７ｂにそれぞれ当接する。これにより、第一光学部材３０の位置を決める。
【００４６】
次に、押さえ４１，４２を押さえ台座部２４ａ，２４ｂにそれぞれセッティングし、押さえ４１，４２をネジによって押さえ台座部２４ａ，２４ｂにそれぞれ固定する。押さえ４１，４２をネジによって締結することによって、押さえ４１，４２のはみ出し部４１ａ，４２ａと爪２８．２９との間に第一光学部材３０の周縁部を挟み込み、これにより第一光学部材３０をハウジング２０に固定する。
【００４７】
次に、第二光学部材５０の前面を第一光学部材３０に対向させて、第二光学部材５０を第二凹部２５に収容し、第二光学部材５０を光学部材台座部２５ａ，２５ｂにセッティングする。この際、第二光学部材５０の前面の左右の部位を位置決め凸部２５ｃ，２５ｄ，２５ｅに当接し、位置決め凸部２５ｆ，２５ｇを位置決め穴５０ｆ，５０ｇに差し込む。
【００４８】
次に、配線基板６０をハウジング２０の後壁部２３の外面（後面）に当接する。この際、配線基板６０の前面に搭載されたソケット６１を第二凹部２５に収容し、第二光学部材５０をソケット６１に嵌合させる。なお、第二光学部材５０をソケット６１に嵌合させた後に、第二光学部材５０及びソケット６１を第二凹部２５に収容し、配線基板６０を後壁部２３の外面に当接させてもよい。
【００４９】
次に、ネジ等の締結部材によって配線基板６０をハウジング２０の後壁部２３の外面に締め付けて、第二光学部材５０を配線基板６０とともにハウジング２０に共締めする。
【００５０】
次に、ヒートシンク７０を配線基板６０に取り付ける。
【００５１】
次に、レンズユニット１０の鏡筒１２をハウジング２０の前側の開口２０ａに挿入し、フランジ１３をハウジング２０の前面及びフランジ２２に当接し、鏡筒１２の後端を透孔２１ａの周囲において隔壁２１に当接する。フランジ１３とフランジ２２をネジ、ボルト・ナット結合、リベット又、鋲又は爪等の締結部によって締結する。
【００５２】
本発明の実施の形態によれば、次のような作用効果が生じる。
【００５３】
（１）  第一光学部材３０と第二光学部材５０が共にハウジング２０の後ろからハウジング２０の後壁部２３に直接取り付けられているので、第一光学部材３０及び第二光学部材５０の取付位置の精度を向上させることができる。更に、第一光学部材３０と第二光学部材５０の相互の位置的関係性も理想的な設計に近づけることができる。
【００５４】
（２）  第一光学部材３０がレンズの左右両側部を切り取ったものであるから、保持穴２７を第一光学部材３０の形状に合わせて保持穴２７の左右の長さを短くすることができる。それゆえ、保持穴２７の後ろ側において第二光学部材５０を保持穴２７の左と右の間に架け渡すようにして、その第二光学部材５０をハウジング２０の後壁部２３の後面に締め付けることができる。よって、第一光学部材３０と第二光学部材５０を共に同一の方向からハウジング２０の後壁部２３に直接取り付けることができる。
【００５５】
（３）  爪２８，２９が保持穴２７の縁に形成されているから、第一光学部材３０を後壁部２３の後ろから保持穴２７に嵌め込んで、第一光学部材３０の前面の周縁部を爪２８，２９によって支持することができる。そして、ハウジング２０の後壁部２３の外面（後面）に第一凹部２４や押さえ台座部２４ａが形成されているから、押さえ４１，４２を後壁部２３の後ろから第一凹部２４の奥や押さえ台座部２４ａにセッティングして、押さえ４１，４２を第一凹部２４の奥や押さえ台座部２４ａに締結することができる。押さえ４１，４２の締結によって第一光学部材３０の周縁部を押さえ４１，４２と爪２８，２９との間に挟持することができ、第一光学部材３０を後壁部２３に取り付けることができる。
【００５６】
（４）  ハウジング２０の後壁部２３の外面（後面）に第一凹部２４が形成されているから、押さえ４１，４２を第一凹部２４に収容することができ、押さえ４１，４２を後壁部２３に締め付けやすい。
【００５７】
（５）  爪２８，２９が保持穴２７の縁のうち後壁部２３の内面（前面）寄りに配置されているから、第一光学部材３０を後壁部２３の内面（前面）寄りで支持することができる。よって、後壁部２３を薄くすることができる。
【００５８】
（６）  位置決め凸部２５ｆ，２５ｇが後壁部２３の後面、特に第二凹部２５の奥に形成され、位置決め凸部２５ｆ，２５ｇが第二光学部材５０の前面の位置決め穴５０ｆ，５０ｇに差し込まれるから、第二光学部材５０の前面の左右部位を第二凹部２５の奥に当てた状態で第二光学部材５０の位置決めを行うことができる。
【００５９】
（７）  第二凹部２５が後壁部２３の後面に凹設され、第二凹部２５に位置決め凸部２５ｆ，２５ｇが形成されているから、第二光学部材５０を第二凹部２５に収容することで、位置決め凸部２５ｆ，２５ｇが第二光学部材５０の前面の位置決め穴５０ｆ，５０ｇに差し込まれる。よって、第二光学部材５０の位置決めが容易であるとともに、第二光学部材５０を容易にハウジング２０に取り付けることができる。
【００６０】
（８）  ハウジング２０の後壁部２３の外面（後面）、第一凹部２４（押さえ台座部２４ａ，２４ｂ）、第二凹部２５（光学部材台座部２５ａ，２５ｂ）、位置決め凸部２５ｃ，２５ｄ，２５ｅ，２５ｆ，２５ｇ、第三凹部２６、保持穴２７（その縁２７ａ〜２７ｄ）及び爪２８，２９がこれらに共通の一つの金型によって成型されるから、第一光学部材３０と第二光学部材５０の相互の位置的な精度が高い。
【００６１】
（９）  第一光学部材３０の円弧状の縁３０ａ，３０ｂと保持穴２７の円弧状の縁２７ａ，２７ｂとの突き合わせとによって第一光学部材３０が位置決めされているから、ハウジング２０に対する第一光学部材３０の取付精度が非常に高い。
【００６２】
〔変形例〕
本発明を適用可能な実施形態は上述した実施形態に限定されることなく、本発明の趣旨を逸脱しない範囲で適宜変更可能である。以下、幾つかの変形例について説明する。以下に説明する変形例は、変更個所を除いて上述した実施形態と同様である。また、以下に説明する変更箇所を組み合わせて適用してもよい。
【００６３】
（１）  上記実施形態では、第二光学部材５０が反射型の空間光変調装置であった。それに対して、第二光学部材５０が透過型光学部材（例えばレンズ、プリズム、回折格子、フィルタ、導光部材、インテグレーター、一枚の透過型液晶表示パネル（透過型空間光変調装置）等）であってもよい。この場合、配線基板６０、ソケット６１及びヒートシンク７０を省略する。また、第二光学部材５０は第二凹部２５に収容され、固定具（ブラケット）が第二光学部材５０の後ろ側から第二光学部材５０の周縁部に当接した状態でハウジング２０の後壁部２３に締め付けられることによって、第二光学部材５０と固定具がハウジング２０に共締めされる。また、時分割光発生装置９９がハウジング２０の後ろ側に設けられ、時分割光発生装置９９によって発生された光は後壁部２３の後ろ側から第二光学部材５０に照射され、その光が第二光学部材５０及び第一光学部材３０を透過する。
【００６４】
（２）  第二光学部材５０が透過型の空間光変調装置でもよい。つまり、第二光学部材５０が、複数（例えば、３枚）の透過型液晶表示パネル及びクロスダイクロイックプリズム等を有するとともに、これら透過型液晶表示パネル及びクロスダイクロイックプリズム等を組み付けることによってユニット化したものでもよい。この場合、配線基板６０、ソケット６１及びヒートシンク７０を省略するとともに、複数色の光を発生させる（或いは白色光を複数色の光に分解する）照射装置を時分割光発生装置９９の代わりに用いる。第二光学部材５０は第二凹部２５に収容され、固定具（ブラケット）が第二光学部材５０の後ろ側からハウジング２０の後壁部２３に締め付けられることによって、第二光学部材５０と固定具がハウジング２０に共締めされる。また、照射装置はハウジング２０の後ろ側に設けられ、各色の光が照射装置によって第二光学部材５０の透過型液晶表示パネルに照射される。各透過型液晶表示パネルを透過した光による画像がクロスダイクロイックプリズムによって合成され、それらの画像が第一光学部材３０及びレンズユニット１０によって前方のスクリーンへ投影される。
【００６５】
以上に本発明の実施形態及びその変形例を説明したが、本発明の範囲は上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６６】
〔付記〕
＜請求項１＞
支持部品に設けられた壁部と、
前記壁部に取り付けられた第一光学部材と、
前記壁部に取り付けられた第二光学部材と、を備え、
保持穴が前記壁部を貫通し、
前記第一光学部材が前記壁部の一方の面側から前記保持穴に嵌め込まれて前記壁部に固定され、
前記第二光学部材が前記壁部の前記一方の面側から前記第一光学部材及び前記保持穴に対向し、
前記第二光学部材が前記壁部の前記一方の面側から前記一方の面に締め付けられている、
ことを特徴とする光学部材組立体。
＜請求項２＞
前記保持穴の縁に形成された爪を更に備え、
前記第一光学部材の周縁部が前記壁部の一方の面側から前記爪に当接されている、
ことを特徴とする請求項１に記載の光学部材組立体。
＜請求項３＞
前記保持穴の周辺において前記壁部の前記一方の面に締め付けられた押さえを更に備え、
前記押さえの一部が前記保持穴にはみ出て、そのはみ出た部分と前記爪との間に前記第一光学部材の周縁部が挟持されている、
ことを特徴とする請求項２に記載の光学部材組立体。
＜請求項４＞
前記壁部の前記一方の面に第一凹部が形成され、前記保持穴が前記第一凹部の底から前記壁部の他方の面に貫通し、
前記押さえが前記第一凹部に収容されて前記第一凹部の底に締め付けられている、
ことを特徴とする請求項３に記載の光学部材組立体。
＜請求項５＞
前記壁部の前記一方の面、前記保持穴及び前記爪が一つの金型によって成型されているものである、
請求項２から４の何れか一項に記載の光学部材組立体。
＜請求項６＞
前記保持穴の周辺において前記壁部の前記一方の面に凸設された位置決め凸部を更に備え、
前記第二光学部材の前記壁部の前記一方の面に相対する面に位置決め穴が形成され、
前記位置決め凸部が前記位置決め穴に差し込まれることによって前記第二光学部材が位置決めされている、
ことを特徴とする請求項１から５の何れか一項に記載の光学部材組立体。
＜請求項７＞
前記壁部の前記一方の面、前記保持穴及び前記位置決め凸部が一つの金型によって成型されているものである、
請求項６に記載の光学部材組立体。
＜請求項８＞
前記第二光学部材が前記保持穴を跨ぐようにして前記第一光学部材及び前記保持穴に対向し、
前記第一光学部材及び前記保持穴が、前記保持穴の貫通方向に見て、円のうち前記第二光学部材の跨ぐ側の領域を切り取った形状に形成されている、
ことを特徴とする請求項１から７の何れか一項に記載の光学部材組立体。
＜請求項９＞
前記第一光学部材及び前記保持穴は円弧部同士が当接されることによって前記第一光学部材が位置決めされている、
ことを特徴とする請求項８に記載の光学部材組立体。
＜請求項１０＞
前記壁部の前記一方の面に第二凹部が形成され、前記保持穴が前記第二凹部の底から前記壁部の他方の面に貫通し、
前記第二光学部材が前記第二凹部に収容されて前記第二凹部の底に締め付けられている、
ことを特徴とする請求項１から９の何れか一項に記載の光学部材組立体。
＜請求項１１＞
前記第一光学部材がレンズであり、
前記第二光学部材が空間光変調装置である、
ことを特徴とする請求項１から１０の何れか一項に記載の光学部材組立体。
＜請求項１２＞
請求項１１に記載の光学部材組立体と、
前記第二光学部材に光を照射する照射装置と、
前記第一光学部材に対向するレンズユニットと、を備える、
ことを特徴とする投影装置。
＜請求項１３＞
支持部品に設けられた壁部を貫通した保持穴に前記壁部の一方の面側から第一光学部材を嵌め込んで、その第一光学部材を前記壁部に固定し、
前記第二光学部材を前記壁部の前記一方の面側から前記第一光学部材及び前記保持穴に対向させて、前記第二光学部材を前記壁部の前記一方の面側から前記一方の面に締め付ける、
ことを特徴とする光学部材組立体の製造方法。
【符号の説明】
【００６７】
１０  レンズユニット
２０  ハウジング（支持部品）
２３  後壁部（壁部）
２４  第一凹部
２５  第二凹部
２５ｆ，２５ｇ  位置決め凸部
２７  保持穴
２７ａ，２７ｂ  上下の縁（円弧部）
２８，２９  爪
４１，４２  押さえ
３０  第一光学部材
３０ａ，３０ｂ  上下の縁（円弧部）
５０  第二光学部材
５０ｆ，５０ｇ  位置決め穴
９９  時分割光発生装置（照射装置）
【図１】
2014123005.tif 000003
【図２】
2014123005.tif 000004
【図３】
2014123005.tif 000005
【図４】
2014123005.tif 000006
【図５】
2014123005.tif 000007